(57)【要約】  マラスミエルス・パルミボラスを含むことを特徴とする芳香族塩素化合物分解剤およびこれを利用した芳香族塩素化合物の分解方法により、ダイオキシンやＰＣＢ等の芳香族塩素化合物を安全、かつ、迅速に分解する。
2016151656.tif 000002
【特許請求の範囲】
【請求項１】
マラスミエルス・パルミボラス（Marasmiellus palmivorus）を含むことを特徴とする芳香族塩素化合物分解剤。
【請求項２】
更に、広葉樹木粉と、小麦ふすまとを含むものである請求項１記載の芳香族塩素化合物分解剤。
【請求項３】
更に、米糠を含むものである請求項１記載の芳香族塩素化合物分解剤。
【請求項４】
芳香族塩素化合物がダイオキシンである請求項１記載の芳香族塩素化合物分解剤。
【請求項５】
マラスミエルス・パルミボラスが、マラスミエルス・パルミボラスｓａｔｅ２株（ＮＩＴＥ  ＢＰ−０１９８４）である請求項１記載の芳香族塩素化合物分解剤。
【請求項６】
芳香族塩素化合物にマラスミエルス・パルミボラスを接触させることを特徴とする芳香族塩素化合物の分解方法。
【請求項７】
マラスミエルス・パルミボラスが、マラスミエルス・パルミボラスｓａｔｅ２株（ＮＩＴＥ  ＢＰ−０１９８４）である請求項６記載の芳香族塩素化合物の分解方法。
【請求項８】
芳香族塩素化合物がダイオキシンである請求項６記載の芳香族塩素化合物の分解方法。
【請求項９】
芳香族塩素化合物が土壌にあり、マラスミエルス・パルミボラスを土壌に添加して芳香族塩素化合物に接触させた後、土壌を撹拌および／またはエアレーションする請求項６記載の芳香族塩素化合物の分解方法。
【請求項１０】
マラスミエルス・パルミボラスを含むスターターを、広葉樹木粉および小麦ふすまを含む培地に接種し、ＬＥＤ照射下で培養することを特徴とするマラスミエルス・パルミボラスの培養方法。
【請求項１１】
ＬＥＤ照射の条件が、波長４７０ｎｍの青色光を５８０〜６００Ｌｕｘで照射するものである請求項１０記載のマラスミエルス・パルミボラスの培養方法。
【請求項１２】
更に、培地が米糠を含むものである請求項１０記載のマラスミエルス・パルミボラスの培養方法。
【請求項１３】
マラスミエルス・パルミボラスが、マラスミエルス・パルミボラスｓａｔｅ２株（ＮＩＴＥ  ＢＰ−０１９８４）である請求項１０記載のマラスミエルス・パルミボラスの培養方法。
【請求項１４】
マラスミエルス・パルミボラスｓａｔｅ２株（ＮＩＴＥ  ＢＰ−０１９８４）。
【発明の詳細な説明】
【技術分野】
【０００１】
本発明は、芳香族塩素化合物分解剤およびこれを用いた芳香族塩素化合物の分解方法、これに利用する微生物の培養方法に関する。
【背景技術】
【０００２】
近年、沖縄をはじめ日本では、過去に廃棄・埋設されたダイオキシン類による土壌汚染への懸念が高まっている。【０００３】
ダイオキシンは塩素で置換された２つのベンゼン環を含む化合物であり、発ガン性、遺伝毒性、生殖毒性などを有し、かつ脂溶性であるため、生物濃縮による生態系・人体への影響が懸念されている。【０００４】
また、ダイオキシンと類似した構造を有するポリ塩化ビフェニル（ＰＣＢ）に関しても、絶縁性、不燃性などの特性によりトランス、コンデンサといった電気機器をはじめ幅広い用途に使用されていたが、毒性が問題視され、昭和４７年以降の製造が中止された。しかし、既に製造されたＰＣＢの処理に関しては、十分な処理が行われず現在も保管が続いており、保管の長期化により紛失や漏洩による環境汚染の進行が懸念されている。【０００５】
これらダイオキシンやＰＣＢ等の芳香族塩素化合物については、近年白色腐朽菌が分解することが報告されている（非特許文献１、２）が、これら白色腐朽菌の分解能は十分ではなく、更に分解能の高い技術が要求されていた。また、そもそも一般的な白色腐朽菌は、いわゆるキノコが生えるような、涼しく、多湿の環境を好むため、様々な環境の土壌に対して適用できるものでもなかった。
【先行技術文献】
【非特許文献】
【０００６】
【非特許文献１】橘燦郎、木材腐朽菌を用いたバイオレメディエーションによるダイオキシンおよび環境ホルモン汚染土壌の浄化、地球環境、Vol.15、No.1、 p.63-68（2010）
【非特許文献２】環境省、ダイオキシン類、関係省庁共通パンフレット（2012）
【発明の概要】
【発明が解決しようとする課題】
【０００７】
本発明は、ダイオキシンやＰＣＢ等の芳香族塩素化合物を安全、かつ、迅速に分解し、様々な環境の土壌にも対応可能な新規な手段を提供することを課題とするものである。
【課題を解決するための手段】
【０００８】
本発明者らは、上記課題を解決するために鋭意研究した結果、白色腐朽菌、特に沖縄のような高温多湿の環境に生育している白色腐朽菌の中からダイオキシンやＰＣＢ等の芳香族塩素化合物を安全、かつ、迅速に分解し、様々な環境の土壌にも対応可能なものを見出し、本発明を完成させた。【０００９】
すなわち、本発明はマラスミエルス・パルミボラス（Marasmiellus palmivorus）を含むことを特徴とする芳香族塩素化合物分解剤である。【００１０】
また、本発明は芳香族塩素化合物にマラスミエルス・パルミボラスを接触させることを特徴とする芳香族塩素化合物の分解方法である。【００１１】
更に、本発明はマラスミエルス・パルミボラスを含むスターターを、広葉樹木粉および小麦ふすまを含む培地に接種し、ＬＥＤ照射下で培養することを特徴とするマラスミエルス・パルミボラスの培養方法である。【００１２】
また更に、本発明はマラスミエルス・パルミボラスｓａｔｅ２株（ＮＩＴＥ  ＢＰ−０１９８４）である。
【発明の効果】
【００１３】
本発明の芳香族塩素化合物分解剤は、ダイオキシンやＰＣＢ等の芳香族塩素化合物の分解能が高く、また、様々な環境の土壌にも対応可能で、安全なマラスミエルス・パルミボラスを有効成分としているため、安全、かつ、迅速にダイオキシンやＰＣＢ等の芳香族塩素化合物を分解することができる。【００１４】
また、本発明の芳香族塩素化合物分解剤は、特に、土壌に散布し、土壌中に残留したダイオキシンやＰＣＢ等の芳香族塩素化合物を分解させ、土壌を浄化するのに好ましい。【００１５】
更に、本発明のマラスミエルス・パルミボラスの培養方法は、上記芳香族塩素化合物分解剤の原料となるマラスミエルス・パルミボラスを、短期間で大量に培養できる。
【図面の簡単な説明】
【００１６】
【図１】実施例１におけるバーベンダム反応培地（α−ナフトールを添加した培地）およびＲＢＢＲ培地で２５℃、５日間培養し現れた分解斑の直径を測定した結果を示す。
【図２】実施例１における酸化酵素活性を測定した結果を示す。
【図３】実施例１におけるダイオキシン類を含む飛灰を混合した模擬汚染土壌に菌体を添加し２５℃、４週間浄化処理した結果を示す。
【図４】実施例１で用いたダイオキシン分解能測定用の培養装置の模式図である。
【図５】実施例２における、撹拌とエアレーションによるダイオキシン分解効率を示す。
【発明を実施するための形態】
【００１７】
本発明の芳香族塩素化合物分解剤は、白色腐朽菌であるマラスミエルス・パルミボラス（Marasmiellus palmivorus）を有効成分とするものである。このマラスミエルス・パルミボラスは、日本各地で自生しているので、そこから探索・採取し単離・培養することで得ることができるし、ＡＴＣＣやＮＢＲＣ等の寄託機関から購入することもできる。
【００１８】
このマラスミエルス・パルミボラスは、芳香族塩素化合物を分解することができる。マラスミエルス・パルミボラスが分解できる芳香族塩素化合物としては、例えば、２,３,７,８−ＴＣＤＤのようなＰＣＤＤｓや、２,３,４,７,８−ＰｅＣＤＦのようなＰＣＤＦｓ等のダイオキシン、ＰＣＢ１２６等のＰＣＢ等が挙げられ、好ましくはダイオキシンである。
【００１９】
これらマラスミエルス・パルミボラスの中でも芳香族塩素化合物の分解能が高いもの、例えば、芳香族塩素化合物で汚染された土壌（１ｐｇ〜１μｇ−ＴＥＱ／ｇ）中の芳香族塩素化合物を４週間で１０％以上分解するものが好ましい。
【００２０】
上記マラスミエルス・パルミボラスの中でも、高温多湿な環境に適応しているものや、芳香族塩素化合物の分解能が高いものが好ましく、このようなものは、例えば、沖縄本島北部のような高温多湿な環境に自生しているものをバーベンダム反応による呈色斑形成能やレマゾールブリリアントブルー分解斑形成能を評価するスクリーニングにより得ることができる。
【００２１】
上記スクリーニングにより得られたマラスミエルス・パルミボラスとしては、例えば、日本国沖縄県国頭郡国頭村佐手の山中倒木から採取されたマラスミエルス・パルミボラスｓａｔｅ２（Marasmiellus palmivorus sate2）株（以下、これを「佐手２株」という）が挙げられる。この佐手２株については、平成２６年１２月１９日付で独立行政法人製品評価技術基盤機構の特許微生物寄託センター（〒２９２−０８１８  日本国千葉県木更津市かずさ鎌足２−５−８  １２２号室）にＮＩＴＥ  ＢＰ−０１９８４として国際寄託されている。
【００２２】
この佐手２株の物理化学的性状は以下の通りである。
形態：
白色の糸状菌体。
担子菌の生活環における二核を有する二次菌糸。
顕微鏡観察では細胞と細胞の接合部にクランプ構造が見られる。
生理学的性質：
ＰＳＡ（Potato Sucrose Agar）培地やＰＤＡ（Potato dextrose agar）培地でよく増殖する。一般的な白色腐朽菌は２５℃が生育に最適な温度であるが、佐手２株は亜熱帯の沖縄で見出されたため、３０〜３５℃と従来のものよりも高温環境下でも良好に生育できる。
バーベンダム反応培地でα−ナフトールを添加している場合、培地側に深い青紫色の呈色反応がみられることからフェノールオキシダーゼ類（リグニン分解酵素群のいずれか）を分泌していると考えられる。活性測定の結果、特にラッカーゼの分泌が優勢であり、一般的な食用白色腐朽菌であるタモギタケに比較すると約７０倍のラッカーゼ活性が検出された。
２５±１０℃、相対湿度７０〜９０％で生育できる。
糖類の利用性：
グルコースやスクロースおよびデンプンを容易に利用するが、木材中のセルロースも利用し増殖できる。
芳香族塩素化合物の分解能：
芳香族塩素化合物で汚染された土壌（１ｐｇ〜１μｇ−ＴＥＱ／ｇ）２ｔに、佐手２株を６〜３０ｋｇ含む木粉培地を混入すると４週間で芳香族塩素化合物の毒性当量を１０％以上低減できる。
【００２３】
上記マラスミエルス・パルミボラスは、通常、ＰＳＡまたはＰＤＡ培地等の培地で２５℃、相対湿度７５〜８０％で静置することにより培養することができるが、例えば、マラスミエルス・パルミボラスを含むスターターを、広葉樹木粉および小麦ふすまを含む培地に接種し、ＬＥＤ照射下で培養することにより効率よく培養することができる。
【００２４】
上記培養で用いるマラスミエルス・パルミボラスを含むスターターは、広葉樹木粉９６ｇ〜１５６ｇおよび小麦ふすま１７〜３２ｇ、水４０〜７０ｍＬを含む培地に、ＰＳＡ培地に生育した菌体を直径６〜８ｍｍコルクボーラーで培地ごと打ち抜いた切片を６〜８片接種して２５±１０℃、相対湿度７０〜９０％に２〜３週間保つことで調製することができる。
【００２５】
上記のようにして調製したスターターは、次に、広葉樹木粉６〜１０ｋｇおよび小麦ふすま２〜３ｋｇ、水２〜４Ｌを含む培地上に広げて接種する。広葉樹木粉は、特に限定されず、例えば、タイワンハンノキやクヌギ、ブナ等の広葉樹の木粉が挙げられる。これらの木粉は、前記広葉樹を粉砕したものであれば特に限定されないが、例えば、５ｍｍ〜１ｃｍ以下に粉砕したものが好ましい。また、小麦ふすまは、特に限定されず、製粉時に小麦の表皮部分を粉砕したものが好ましい。
【００２６】
この培地には、更に、１５％〜２５％の米糠を含有させることが好ましい。この米糠は、特に限定されず、米の表皮部分を粉砕したものである。上記成分の他に、更に、１５〜２０％の稲わら等の成分を含有させてもよい。
【００２７】
上記のようにしてスターターを広葉樹木粉および小麦ふすまを含む培地に接種した後は、ＬＥＤ照射下、好ましくは波長４００〜５００ｎｍの青色光、より好ましくは波長４７０ｎｍ付近の青色光を、５００〜７００Ｌｕｘより好ましくは５８０から６００Ｌｕｘ（約１５００μＷ）で照射下、２５±１０℃、相対湿度７０〜９０％に２〜３週間培養すればよい。
【００２８】
このようにしてマラスミエルス・パルミボラスを培養することにより、通常の培養と比較して、菌糸の成長速度が１.５〜２倍となる。
【００２９】
本発明の芳香族塩素化合物分解剤は、少なくとも上記したマラスミエルス・パルミボラスを含有していればよいが、例えば、上記した培地に用いられるような広葉樹木粉、小麦ふすまを更に含有させることが好ましい。
【００３０】
また、本発明の芳香族塩素化合物分解剤には、更に、米糠を含有させることが好ましい。
【００３１】
本発明の芳香族塩素化合物分解剤には、上記成分の他に、稲わら等の成分を含有させてもよい。
【００３２】
本発明の芳香族塩素化合物分解剤の好ましい態様としては、重量比で広葉樹木粉３〜５、小麦ふすま１〜２、水１〜２の混合物にマラスミエルス・パルミボラスが十分に菌糸を生育させ真っ白に見える状態のもの、あるいは、重量比で広葉樹木粉３〜６、小麦ふすま１〜２、水１〜２必要により米糠１〜２を含有する混合物にマラスミエルス・パルミボラスが十分に菌糸を生育させ真っ白に見える状態のもの等が挙げられる。
【００３３】
上記したマラスミエルス・パルミボラスは、芳香族塩素化合物に接触させることにより芳香族塩素化合物を分解することができる。
【００３４】
マラスミエルス・パルミボラスを芳香族塩素化合物に接触させる方法は特に限定されないが、例えば、芳香族塩素化合物で汚染された土壌等にマラスミエルス・パルミボラスを生育させたり、芳香族塩素化合物をマラスミエルス・パルミボラスが生育している土壌等に添加する方法や、その他マラスミエルス・パルミボラスを固定化したバイオリアクター等の装置を利用して接触させても良い。また、マラスミエルス・パルミボラスを芳香族塩素化合物に接触させる際には、本発明の芳香族塩素化合物分解剤を利用してもよい。
【００３５】
マラスミエルス・パルミボラスを芳香族塩素化合物に接触させる方法の好ましい例としては、芳香族塩素化合物で汚染された土壌に、マラスミエルス・パルミボラスを添加し、土壌を撹拌および／またはエアレーションする方法が挙げられる。これらの中でも相対湿度７５％以上の湿った空気でエアレーションを行う方法がマラスミエルス・パルミボラスの分解能が向上するためより好ましい。
【００３６】
マラスミエルス・パルミボラスを土壌に添加する量は特に限定されず、例えば、土壌２ｔに対してマラスミエルス・パルミボラスを６〜６０ｋｇである。
【００３７】
また、土壌を撹拌する方法は特に限定されず、例えば、バックホウや農業用トラクターである。更に、土壌をエアレーションする方法も特に限定されず、例えば、ポンプでの圧送や、その逆の吸引通気がある。
【００３８】
このようにマラスミエルス・パルミボラスを土壌に添加し、芳香族塩素化合物で汚染された土壌（１ｐｇ〜１μｇ−ＴＥＱ／ｇ）を撹拌および／またはエアレーションし、４週間以上稼働することにより、土壌中の芳香族塩素化合物を１０％以上分解することができる。
【実施例】
【００３９】
以下、本発明を実施例を挙げて詳細に説明するが、本発明はこれら実施例に何ら限定されるものではない。【００４０】
実  施  例  １
ダイオキシン分解能を有する微生物のスクリーニング：
（１）子実体の採取
リグニン分解能を有する白色腐朽菌の単離を目的として、沖縄本島および離島合わせて２３島から各島内偏りなく探索し、子実体を１９４６個採取した。採集した子実体は直ちに使用するまで４℃で保存した。【００４１】
（２）子実体の分離・単離
（１）で採取した子実体をメスで５ｍｍ角から１ｃｍ角の大きさに切断し、ＰＤＡ（potato dextrose agar）プレート培地に植菌した。これを２５℃、相対湿度７５％で３日〜１週間培養した。その後、伸長した菌糸を培地ごとメスで１ｃｍ角に分離し、新たなＰＤＡ培地に植え替え、同様の条件で培養した。目視で細菌やカビなどのコンタミネーションが無い場合に単離できたとみなし、それを保存した。これにより５３６株が単離できた。【００４２】
（３）リグニン分解活性の測定
（２）で単離した菌株の中から白色腐朽菌を選別するため、文献（Chroma, L., Demnerova, K., Mackova, M., Macek, T.，Decolorization of RBBR by plant cells and correlation with the transformation of PCBs，Chemosphere, Vol. 49, p.739-748（2002））に記載のバーベンダム反応を用いて、菌体のリグニン分解活性を測定した。バーベンダム反応の観察のために、基本培地（２％グルコース、０.１５％リン酸二水素カリウム、０.１％ポリペプトン、０.０５％硫酸マグネシウム７水和物、０.００１％硫酸鉄、３％組織培養用寒天）を調製した。基本培地にα−ナフトール５０ｍＭとなるよう添加した。同時に、ＰＣＢ分解能の測定も行った。ＰＣＢ分解能の測定には、ＰＤＡ培地にレマゾールブリリアントブルーＲ（以下、「ＲＢＢＲ」という）を最終濃度５０ｍＭとなるよう添加した。【００４３】
上記２種類の培地に、単離した菌体をそれぞれ直径６ｍｍのコルクボーラーで打ち抜いて培地ごと植菌した。そして２５℃、相対湿度７５％で５日間培養し、分解斑の直径を測定した。また対照として、難分解性物質を分解できることでも知られているセリポリオプシス・サブバーミスポラ（Ceriporiopsis subvermispora）ＡＴＣＣ９０４６７株（以下、これを「対照株」という）を使用した。なお、対照株はアメリカンタイプカルチャーコレクションより購入した。【００４４】
培養５日後の分解斑が大きいものほどリグニン分解活性が高い株とし、その結果上位７株まで絞り込んだ。この上位７株と標準株について、５日後における分解斑の直径を比較した結果を図１に示した。α−ナフトール培地においては、７株すべてが対照株よりも分解斑が大きくなった。【００４５】
バーベンダム反応によって上位７株に絞った有望株については、ＲＢＢＲを用いたＰＣＢ分解能の測定も行った。こちらもバーベンダム反応と同様に、５日後における分解斑の直径を対照株と比較した。上記と同様に、図１に示した。ＲＢＢＲの培地では、ＲＢＢＲの分解斑が確認できた有望株４株全てに対照株よりも大きな分解斑を確認することができた。特に佐手２株については、対照株よりも６倍以上の分解活性をもつことがわかった。【００４６】
（４）酸化酵素活性の測定
ダイオキシン類分解に有効に作用していると考えられる佐手２株の酸化酵素産生について検討した。広葉樹木粉および小麦ふすまを含む培地５ｇに接種し２５℃、相対湿度７５％で４週間静置培養を行った。培地中に分泌されている酵素群を、１０ｍＬの０.１Ｍクエン酸緩衝液（ｐＨ４.５）で抽出した。４週間腐朽後の培地を緩衝液に懸濁し脱気を行い１時間放置した。ろ過と遠心分離で得た上清についてマンガン依存性ペルオキシダーゼ（ＭｎＰ）、リグニンペルオキシダーゼ（ＬｉＰ）、ラッカーゼ（Ｌａｃ）の酵素活性を測定した。ＭｎＰ  活性は、森永の方法に従いグアイアコールを基質とし波長４７５ｎｍの１分間の吸光度変化を測定した。ＬｉＰ活性は、渡邊らの方法に従ってベラトリルアルコールを基質として波長３１０ｎｍの１分間の吸光度変化を測定した。Ｌａｃ活性は  Ｗａｎｇらの方法に従って（１０,２,２−アジノビス（３−エチルベンゾチアゾリン−６−スルホン酸アンモニウム塩）（ＡＢＴＳ）の酸化を波長４０５ｎｍの１分間の吸光度変化を測定した。【００４７】
これらの活性は、０.１Ｍコハク酸緩衝液（ｐＨ４.５）中で測定し、酵素活性の１ｕｎｉｔは、１分間に吸光度を１増加させる酵素量と定義した。佐手２株は特にラッカーゼを分泌・産生することが明らかになった。比較対照として、比較的生育が速くラッカーゼを産生することがわかっているタモギタケを同様に４週間培養した場合の酵素活性を測定した。タモギタケ腐朽材抽出液が０.１ｕｎｉｔｓ／ｍＬのラッカーゼ活性を示したのに対し、佐手２株腐朽材抽出液は７.４ｕｎｉｔｓ／ｍＬのラッカーゼ活性を示した（図２）。佐手２株は一般的な食用白色腐朽菌よりも約７０倍も強くラッカーゼを分泌することが明らかになった。【００４８】
（５）ダイオキシン分解能の測定
ダイキシン分解能の測定では、環境分析試験用として提供された焼却飛灰を赤土と混合した模擬汚染土壌を調製し、これに以下のように処理した単離株菌体を加えて、模擬汚染土壌中のダイオキシンに相当する毒性等量の減少を測定した。単離株菌体は、まず、単離株を直径６ｍｍのコルクボーラーで培地ごと打ち抜き、４片を木材チップ培地（ブナ材チップ９６ｇ、小麦ふすま３２ｇ、水１９ｍｌを混合後、１２１℃、２０分間でオートクレーブ滅菌した）に植菌し、２５℃、相対湿度７５％で１週間培養した。次に、木材チップ培地で培養した菌体を培地ごと１０ｇ秤量後、模擬汚染土壌（赤土１００ｇ、焼却飛灰２.５ｇ）に混合し４週間培養し、１日に１回容器ごと培地を振って撹拌した。バーベンダム反応で絞り込んだ上位７株のうち、佐手２株が最もダイオキシン毒性当量が減少していたため、佐手２株を最優秀株とした（図３）。【００４９】
更に、ダイオキシン分解効率を高めるため、培養条件の最適化を図った。一般に白色腐朽菌は好気性で多湿を好むため、湿った空気を土に通気（エアレーション）できるような培養装置を組み立てた（図４）。これは模擬汚染土壌と菌体を入れる培養容器と、これに導入する空気の湿度を調整するための水のバブリング装置から成り、更に、焼却飛灰成分が空気中へ拡散することを防ぐため、排気の前段に活性炭槽を設置している。上記の間欠撹拌培養と同様の割合で佐手２株菌体と模擬汚染土を混合し培養した。未処理区と対照株および佐手２株で５個ずつ装置を組み、それぞれ２週間毎に１個を回収し残存する毒性当量の経時変化を分析した。１０週間後の毒性当量で分解効率を評価した（図５）。【００５０】
（６）安全性試験
マウス（ブリーダー：日本ＳＬＣ株式会社、系統：ＩＣＲ、性別：メス、年齢：８週齢、ＳＰＦ動物）を用いて、実際に単離株を土壌浄化に活用した際の哺乳類に対する影響を確認した。各菌体破砕液の調製の為に、単離株を１００ｍｌのＹＭ液体培地（０.３％酵母エキス、０.３％麦芽エキス、１％グルコース、０.５％ペプトン）で１週間、２５℃、１３０ｒｐｍで振とう培養した。培養後、吸引ろ過（フィルターポアサイズ：０.２２μｍ）によって菌体のみを回収し、マルチビーズショッカー多検体細胞破砕機（安井器械株式会社）を用いて２０℃、３,０００ｒｐｍ、１０ｓｅｃに設定し菌体を破砕した。マウスは対照区１匹を含めた９匹を用いて菌体投与当日に１個体ずつ体重測定を行い、体重測定から３時間絶食を行った。マウス１個体あたり３００ｍｇ／ｋｇの菌体破砕液をゾンデで経口投与し、ＯＥＣＤ毒性試験ガイドライン４２０急性経口毒性試験−固定用量法のガイドラインに従い投与後の３０分間、観察を続けた。また、投与１時間後、２時間後、２４時間後および１日１回の経過観察と３日ごとに１回体重測定を行い急性毒性・目視によるマウスの異常行動・体重の著しい増減を調査した。また、パールダニオを用いて、単離株の魚類に対する影響も確認した。各菌体破砕液は上記と同様のものを使用した。パールダニオは、７Ｌの水中に１０匹ずつ飼育し、菌体破砕液を最終濃度１００ｍｇ／Ｌとなるよう水中に添加した。３時間後、６時間後、２４時間後、３６時間後、４８時間後、７２時間後、９６時間後にそれぞれ観察し、菌体に急性毒性が無いか調査した。有望株７株について、パールダニオおよびマウスにおける安全性試験を実施した結果を表１に示した。【００５１】
【表１】
2016151656.tif 000003
【００５２】
その結果、パールダニオおよびマウスについては、有望株全てにおいて急性毒性は見られなかった。また、その後の経過観察においても、全ての有望株で異常は確認されなかった。【００５３】
（７）菌株の選抜およびその同定
以上の結果より、安全、かつ、芳香族塩素化合物の分解能の高いものとして、佐手２株を選抜した。この佐手２株のＤＮＡの解析を以下の方法で行い、菌種を同定した。【００５４】
まず、佐手２株の液体培養で得た菌体を液体窒素で凍結後、乳鉢で磨り潰して細胞を破砕した。この菌体破砕物からＮｕｃｌｅｏＳｐｉｎ  ｇＤＮＡ  Ｃｌｅａｎ−ｕｐ  ＴＭ（タカラバイオ）で抽出したゲノムＤＮＡを鋳型として用い、ＰＣＲ法によりリボソーム遺伝子中の５.８Ｓを含むＩＴＳ１とＩＴＳ２領域を増幅した。ＰＣＲは、０.５ｕｎｉｔｓのＴａＫａＲａ  ＬＡ  ＴａｑＴＭ（タカラバイオ）、０.２ｍＭの各ｄＮＴＰ、２μｌの１０×ＰＣＲ  ＧＣ  ＢｕｆｆｅｒＩおよび１μＭの各プライマーを含む２０μｌの溶液中で行った。サーマルサイクラーはＰＴＣ１１９６型（ＢＩＯ−ＲＡＤ）を使用し、９４℃で１分間熱変性した後、９４℃３０秒（変性）、４５℃３０秒（アニーリング）、７２℃２分（伸長）を３０回繰り返し、最後に７２℃で１０分間伸長反応を行った。ＰＣＲ産物はＴａＫａＲａ  ＳＵＰＲＥＣＴＭ−ＰＣＲ（タカラバイオ）により、残留しているプライマーおよびｄＮＴＰｓを除去、ダイレクトシーケンスのテンプレートに使用した。シーケンス反応はＤＴＣＳ  Ｑｕｉｃｋ  Ｓｔａｒｔ  Ｍａｓｔｅｒ  Ｍｉｘ（ＢＥＣＫＭＡＮ  ＣＯＵＬＴＥＲ）で行い、ＤＮＡシーケンサー遺伝子解析システムＣＥＱ８８００（ＢＥＣＫＭＡＮ  ＣＯＵＬＴＥＲ）で塩基配列解析した。【００５５】
なお、今回使用したＩＴＳ領域プライマーは、真菌類の中でも特に担子菌のｒＲＮＡ遺伝子に最適化されたＩＴＳ１（５’−ＴＣＣＧＴＡＧＧＴＧＡＡＣＣＴＧＣＧＧ−３’）（配列番号２）とＩＴＳ４（５’−ＴＣＣＴＣＣＧＣＴＴＡＴＴＧＡＴＡＴＧＣ−３’）（配列番号３）である。上記で得られた佐手２株の塩基配列データ（配列番号１）をもとに、日本ＤＮＡバンク（http://www.ddbj.nig.ac.jp/Welcome-j.html）の相同性検索サービス（BLAST system、NCBI-BLAST 2.2.18）でＡｌｔｓｃｈｕｌらのアルゴリズムによる相同性検索を行った。【００５６】
その結果、佐手２株は、マラスミエルス・パルミボラス  ｉｓｏｌａｔｅ  Ｂａｎｇｉ３など１０種以上のマラスミエルス・パルミボラスに９９％の高い相同性を示した。そこで、佐手２株は、マラスミエルス・パルミボラスと同定された。【００５７】
実  施  例  ２
佐手２株の培養：
佐手２株をＰＳＡ培地に生育させ、これを直径６ｍｍコルクボーラーで培地ごと打ち抜き切片を得た。これをブナ木粉（５ｍｍ以下に裁断されたもの）９６ｇおよび小麦ふすま３２ｇ、水７０ｍＬを含む培地に６〜８片接種して、２５℃、相対湿度７５％に２週間保つことでスターターを調製した。【００５８】
このスターターを、ブナ木粉６ｋｇおよび小麦ふすま２ｋｇ、水４Ｌを含む培地上に広げて接種し、ＬＥＤ（波長４７０ｎｍ付近の青色光：５８０から６００Ｌｕｘ（約１５００μＷ））照射下、２５℃、相対湿度７５％で２週間培養した。【００５９】
培養後は、佐手２株の菌糸が十分に生育し、培地が真っ白になるほどであった。このＬＥＤ照射下の培養により佐手２株の菌糸の成長速度は、これを照射しない通常の培養と比較して、１.５〜２倍となった。【００６０】
また、このスターターをブナ木粉６ｋｇおよび小麦ふすま２ｋｇ、水４Ｌを含む培地上に広げて接種し、３５℃に管理された温室にＬＥＤ照射はないが日照はある状態で放置したところ３週間で培地が真っ白になるほど良好に生育した。【００６１】
更にこの菌糸体が蔓延した培地６０ｋｇ〜７０ｋｇを２〜３ｔの土に混合し、ＬＥＤ（波長４７０ｎｍ付近の青色光：５８０から６００Ｌｕｘ（約１５００μＷ））照射下、もしくはＬＥＤ照射無しで放置したところ、１ヶ月後以上経ても土中から佐手２株の存在が検出された。
【産業上の利用可能性】
【００６２】
本発明の芳香族塩素化合物分解剤は、ダイオキシンやＰＣＢ等の芳香族塩素化合物の分解に利用することができる。
【図１】
2016151656.tif 000004
【図２】
2016151656.tif 000005
【図３】
2016151656.tif 000006
【図４】
2016151656.tif 000007
【図５】
2016151656.tif 000008
【配列表】
2016151656000001.app
【国際調査報告】
2016151656.tif 000009
2016151656.tif 000010
2016151656.tif 000011
2016151656.tif 000012